(57)【要約】  視覚的効果を創出する所定の形状の表示フレークと共に、ユーザへ通知する通知情報が存在することを表す情報フレークを、前記表示フレークと同一または類似の形状で表示部に表示する表示制御部を備える端末装置。異なる複数の前記通知情報に対応する複数の前記情報フレークを表示し、その各々について、種別および/または情報量を判定し、判定結果に応じて、色および/または大きさが変化するように前記情報フレークを前記表示部に表示するようにしても良い。
2014097988.tif 000002
【特許請求の範囲】
【請求項１】
視覚的効果を創出する所定の形状の表示フレークと共に、ユーザへ通知する通知情報が存在することを表す情報フレークを、前記表示フレークと同一または類似の形状で表示部に表示する表示制御部、
を備えることを特徴とする端末装置。
【請求項２】
異なる複数の前記通知情報に対応する複数の前記情報フレークを表示し、
それら複数の通知情報の各々について、種別および/または情報量を判定する通知情報判定部、
を更に備え、
前記表示制御部は、前記通知情報判定部が判定した通知情報の種別および/または情報量に応じて、色および/または大きさが変化するように前記情報フレークを前記表示部に表示する、
ことを特徴とする請求項１に記載の端末装置。
【請求項３】
前記通知情報から、当該情報の通知元を示す通知元識別情報を取得して出力する通知元識別部、
を更に備え、
前記表示制御部は、前記通知元識別部が出力した通知元識別情報を前記情報フレークと関連付けて前記表示部に表示する、
ことを特徴とする請求項１または請求項２に記載の端末装置。
【請求項４】
前記表示制御部は、前記表示部に表示する誤操作を防止するための誤操作防止画面上に、前記表示フレークと前記情報フレークとを、またはこれらのうち前記情報フレークのみを表示する、
ことを特徴とする請求項１から請求項３の何れか一項に記載の端末装置。
【請求項５】
前記表示制御部が前記誤操作防止画面上に表示する、前記誤操作防止画面を消去するための操作対象となる表示オブジェクトに対して、自端末装置の外部から操作がなされたことを検出するロック解除検出部、
を更に備え、
前記ロック解除検出部が、前記表示オブジェクトに対して自端末装置の外部から操作がなされたことを検出すると、前記表示制御部は、所定のアプリケーションプログラムを実行するための、前記表示フレークと同一または類似の形状のアプリケーション起動表示オブジェクトを、前記表示部の所定の位置に表示する、
ことを特徴とする請求項４に記載の端末装置。
【請求項６】
前記表示制御部が前記誤操作防止画面上に表示する、前記誤操作防止画面を消去するための操作対象となる表示オブジェクトに対して、自端末装置の外部から操作がなされたことを検出するロック解除検出部、
を更に備え、
前記ロック解除検出部が、前記表示オブジェクトに対して自端末装置の外部から操作がなされたことを検出すると、前記表示制御部は、前記情報フレークを前記表示部の所定の位置に表示する、
ことを特徴とする請求項４に記載の端末装置。
【請求項７】
前記情報フレークが自端末装置の外部からの操作により選択されたことを検出する情報選択部、
を更に備え、
前記情報選択部が、前記情報フレークが選択されたことを検出すると、前記表示制御部は、当該情報フレークに基づいて、当該情報フレークに関連付けられた情報を前記表示部の所定の位置に表示する、
ことを特徴とする請求項１から請求項６の何れか一項に記載の端末装置。
【請求項８】
前記表示制御部は、前記情報フレーク、誤操作を防止するための誤操作防止画面を消去するための操作対象となる表示オブジェクト、および、所定のアプリケーションプログラムを実行するためのアプリケーション起動表示オブジェクトのうち少なくとも１つの表示画像に、前記表示部内を移動する動きを持たせて前記表示部に表示する、
ことを特徴とする請求項１から請求項７の何れか一項に記載の端末装置。
【請求項９】
前記表示制御部は、前記情報フレーク、前記表示オブジェクト、および、前記アプリケーション起動表示オブジェクトのうち少なくとも１つの表示画像に動きを持たせて表示するか否かを選択し、動きを持たせて表示する選択をした場合は、当該表示画像に動きを持たせ、動きを持たせないで表示する選択をした場合は、前記情報フレーク、前記表示オブジェクト、および、前記アプリケーション起動表示オブジェクトの何れも動きを持たせずに前記表示部に表示する、
ことを特徴とする請求項８に記載の端末装置。
【請求項１０】
視覚的効果を創出する所定の形状の表示フレークと共に、ユーザへ通知する通知情報が存在することを表す情報フレークを、前記表示フレークと同一または類似の形状で表示部に表示する、
ことを特徴とする情報処理方法。
【請求項１１】
端末装置のコンピュータを、
視覚的効果を創出する所定の形状の表示フレークと共に、ユーザへ通知する通知情報が存在することを表す情報フレークを、前記表示フレークと同一または類似の形状で表示部に表示する表示制御手段、
として機能させることを特徴とするプログラム。
【発明の詳細な説明】
【技術分野】
【０００１】
本発明は、視覚的効果を創出する画像を表示する端末装置、情報処理方法及びプログラムに関する。
【背景技術】
【０００２】
携帯電話やスマートフォンなどの端末装置が世界的に普及している。そして、多くの人がメールやＳＮＳ（Ｓｏｃｉａｌ  Ｎｅｔｗｏｒｋｉｎｇ  Ｓｅｒｖｉｃｅ）などのコミュニケーションツールを利用している。
特許文献１には、端末装置のロック設定時にメールなどの着信があった場合、端末装置がユーザにその着信を通知する技術が記載されている。
【先行技術文献】
【特許文献】
【０００３】
【特許文献１】特開２００８−２３６１８４号公報
【発明の概要】
【発明が解決しようとする課題】
【０００４】
しかしながら、特許文献１の技術は、文字によりユーザにメールなどの着信を通知する技術であり、この技術を用いた端末装置は、ユーザに視覚的効果を与える技術ではない。【０００５】
そこでこの発明は、上記の課題を解決することのできる端末装置、情報処理方法及びプログラムを提供することを目的としている。
【課題を解決するための手段】
【０００６】
上記目的を達成するために、本発明は、視覚的効果を創出する所定の形状の表示フレークと共に、ユーザへ通知する通知情報が存在することを表す情報フレークを、前記表示フレークと同一または類似の形状で表示部に表示する表示制御部を備えることを特徴とする端末装置を提供する。【０００７】
また本発明は、視覚的効果を創出する所定の形状の表示フレークと共に、ユーザへ通知する通知情報が存在することを表す情報フレークを、前記表示フレークと同一または類似の形状で表示部に表示することを特徴とする情報処理方法も提供する。【０００８】
また本発明は、端末装置のコンピュータを、視覚的効果を創出する所定の形状の表示フレークと共に、ユーザへ通知する通知情報が存在することを表す情報フレークを、前記表示フレークと同一または類似の形状で表示部に表示する表示制御手段として機能させることを特徴とするプログラムも提供する。
【発明の効果】
【０００９】
本発明によれば、メールなどの情報の着信やスケジュールなどをユーザに通知する際、ユーザに視覚的効果を与えることができ、通知情報をユーザに直感的に分かりやすく報知することができる。
【図面の簡単な説明】
【００１０】
【図１】本発明による端末装置１の最小構成を示す機能ブロック図である。
【図２】本発明の第一の実施形態による端末装置１の構成を示す図である。
【図３】同第一の実施形態による端末装置１が表示部１１に表示する画像の一例を示す図である。
【図４】同第一の実施形態による端末装置１の処理フローを示す図である。
【図５】本発明の第二の実施形態による端末装置１の構成を示す図である。
【図６】同第二の実施形態による端末装置１が表示部１１に表示する画像の一例を示す図である。
【図７】同第二の実施形態による端末装置１の処理フローを示す図である。
【図８】本発明の第三の実施形態による端末装置１の構成を示す図である。
【図９】同第三の実施形態による端末装置１が表示部１１に表示する画像の一例を示す図である。
【図１０】図９の（ｂ）部で示したロック解除アイコン１０１と、情報フレークと、アプリケーション起動アイコンとを示す図である。
【図１１】情報フレークを選択した場合の表示部１１の表示例を示す図である。
【図１２】同第三の実施形態による端末装置１の処理フローを示す図である。
【図１３】本発明の第四の実施形態による端末装置１の処理フローを示す図である。
【発明を実施するための形態】
【００１１】
図１は、本発明による端末装置１の最小構成を示す機能ブロック図である。
本端末装置１は、図１で示すように、少なくとも表示制御部２の機能部を備えている。
【００１２】
ここで、表示制御部２は、各種表示情報を所定の表示部に表示すると共に、装飾効果を有する所定の形状の表示フレーク（表示片図形）を表示することが可能である機能部である。
また、さらには、上記表示フレークの一部に、あるいは、別のフレークを追加表示した上で、ユーザへ通知する通知情報が存在することを表す情報フレークとして表示部に表示することが可能である機能部である。
なお、上記表示フレークは、通知情報が存在しない場合にも表示部１１に予め表示されるフレークである。また、上記情報フレークは、表示フレークと同一または類似の形状のフレークである。
【００１３】
＜第一の実施形態＞
図２は、本発明の第一の実施形態による端末装置１の構成を示す図である。
図２で示すように、第一の実施形態による端末装置１は、図１の表示制御部２に加え、通知情報判定部３、アプリケーション制御部１０、表示部１１、記憶部１２、通信部１３を含んで構成されている。
【００１４】
ここで、第一の実施形態による表示制御部２は、各種表示情報を表示部１１に表示すると共に、通知情報判定部３が判定した通知情報の種別または情報量の何れか一方または両方に応じて、色または大きさの何れか一方または両方が変化するように情報フレークを表示部１１に表示する機能部である。
また、通知情報判定部３は、通知情報の種別または情報量の何れか一方または両方を判定する機能部である。
また、アプリケーション制御部１０は、各アプリケーションプログラムを制御する制御部である。
また、表示部１１は、表示フレーク、情報フレーク、各アプリケーション起動アイコン、その他種々の情報を表示する表示部である。
なお、アプリケーション起動アイコンとは、アプリケーションプログラムを実行するための操作対象となるアイコンであり、アプリケーション起動表示オブジェクトの１つである。
また、本発明の実施形態における各アイコンは、表示オブジェクトの一例である。
また、記憶部１２は、各アプリケーションプログラムやコンテンツなどを記憶する記憶部である。
また、通信部１３は、他装置と通信を行う通信部である。
端末装置１の備える各機能部は、例えばＣＰＵ（Ｃｅｎｔｒａｌ  Ｐｒｏｃｃｅｓｓｉｎｇ  Ｕｎｉｔ）が記憶部１２に記録されているプログラムを実行することにより、端末装置１内に構成される。
【００１５】
図３は、本第一の実施形態による端末装置１が表示部１１に表示する画像の一例を示す図である。
この図においてａｍ（ｍ＝１、２、…）は、表示フレーク（表示片図形）を示している。またこの図において、ｂｎ（ｎ＝１、２、…）は、情報フレーク（情報片図形）を示している。
これらの表示フレークと情報フレークは、大小さまざまな色の円形画像で表示部１１に表示される。なお、図３の例では、画像の重なりにより一部が欠けて見えている円形画像もある。
【００１６】
また表示フレークは、通知情報が存在しない場合、すなわち情報フレークが表示されない場合にも表示部１１に表示される画像であり、ユーザに視覚的効果を与える画像である。
【００１７】
一方、情報フレークは、メールやその他の情報を受信したことをユーザに通知する通知情報を示す画像である。この情報フレークは、電話、メール、ショートメッセージ、ＳＮＳ、スケジュールなどの通知情報の種別を例えば色の違いで表し、各種別における通知件数を例えば円の大きさで表す。
この情報フレークの表示は、一般的な公知の着信履歴の表示技術を用いて行えばよい。
例えば、着信件数とその件数に比例した大きさの情報フレークの対応関係を示すテーブルを記憶部１２に記憶させる。そして、通知情報判定部３が、通知情報の件数を読み取り、記憶部１２の記憶するテーブルに基づいて、その件数に応じた、当該アプリケーションについての情報フレークを表示すればよい。
また、通知情報判定部３は、記憶部１２の記憶するテーブルに基づいて、通知件数を情報フレークと共に表示してもよい。
【００１８】
例えば、情報フレークは、電話の着信が１件あった場合には、その電話の着信件数をユーザに通知するために、（電話の通知情報であることを示す色を有する）情報フレークの画像中に“着信履歴１件”を意味する数字の「１」を表示する画像であってもよい。
また情報フレークは、例えば、メールの着信が５件あった場合には、その着信メールの未確認件数をユーザに通知するために、（メールの通知情報であることを示す色を有する）情報フレークの画像中に“着信履歴５件”を意味する数字の「５」を表示する画像であってもよい。
同様に、情報フレークは、例えば、スケジュールが３件登録されている場合には、そのスケジュールの件数をユーザに通知するために、（スケジュールの通知情報であることを示す色を有する）情報フレークの画像中に“登録３件”を意味する数字の「３」を表示する画像であってもよい。
【００１９】
なお、表示フレークと情報フレークとは、何色であってもよい。表示フレークは、例えば、情報フレークと補色関係にある色（色相環で相互に向かい合う位置にある色）であったり、情報フレークと同系色（色相環で隣り合う色や近い位置にある色）の濃淡配色であったりしてもよい。
このように、表示フレークや情報フレークの色は、カラーコーディネートや色彩心理などの技術を用いて決定してもよい。こうすることで、表示部１１において、情報フレークが目立ちユーザが認識しやすくなったり、表示部１１全体が落ち着いた雰囲気になったりする。
【００２０】
また、情報フレークは、ユーザがより認識しやすいように、例えば点滅したり色が変化したりしてもよい。
【００２１】
また、情報フレークは、ユーザが当該フレークをタップするなどの操作により通知情報の内容を確認することを所定の時間行わない場合、当該所定の時間経過後に情報フレーク自身の形状を表示フレークと類似しない形状に変化してユーザに通知情報の内容確認を促す図形であってもよい。
【００２２】
また、同様にユーザが通知情報の内容を所定の時間確認しない場合、通知情報の内容を、当該所定の時間経過後にポップアップなどにより表示部１１に表示するようにしてもよい。
【００２３】
また、表示部１１が表示する背景は無地である必要はなく、例えば人物画像などとしてもよい。
【００２４】
また、表示フレークと情報フレークは、図３では円形画像として説明したが、円形画像に限定するものではなく、ユーザが不快に思わない程度に統一感が保たれていれば任意の形状であってもよい。
【００２５】
図４は、本発明の第一の実施形態による端末装置１の処理フローを示す図である。
次に、端末装置１が、予めユーザが記憶部１２に登録したスケジュール、電話の着信、メールの着信等の情報をユーザに通知する場合を例に、第一の実施形態による端末装置１の処理フローを説明する。
【００２６】
まず、ユーザは、例えば端末装置１の機能の１つであるスケジュール機能を利用するために、例えば端末装置１のタッチパネルに表示されるスケジュール用アプリケーション起動アイコンをタップするなどのユーザ操作を行う。このとき表示部１１は、既に表示フレークを表示している。
【００２７】
すると、端末装置１のアプリケーション制御部１０は、アプリケーション起動アイコンをタップするなどのユーザ操作に応じてスケジュール用アプリケーションプログラムを起動する（ステップＳ１）。
【００２８】
次にユーザは、アプリケーション制御部１０がスケジュール用アプリケーションプログラムを起動すると、スケジュール用アプリケーションプログラムに対する文字入力などのユーザ操作を行い、アプリケーション制御部１０は記憶部１２に対応するスケジュール項目を登録する（ステップＳ２）。
【００２９】
その後、通知情報判定部３は、記憶部１２に登録された各スケジュール項目に対して、例えば設定した通知時刻（当該スケジュール項目をユーザに通知する時刻）と現在時刻とを比較し、一致する場合に、記憶部１２にアクセスして、当該スケジュール項目を通知情報（ユーザに通知する情報）として取得する。また、通知情報判定部３は、通信部１３が例えばメールなどを受信する度に、当該メールの情報を通知情報として取得する（ステップＳ３）。
【００３０】
そして、通知情報判定部３は、通知情報を取得する度に、取得した通知情報に基づいてその通知情報の種別と件数を判定し（ステップＳ４）、その種別と件数の判定結果を表示制御部２へ出力する。例えば、通知情報判定部３は、取得した通知情報に基づいて通知情報の種別をスケジュール、電話、メールなどと判定する。
【００３１】
次に表示制御部２は、通知情報判定部３から通知情報の種別と件数との判定結果を入力する。また、表示制御部２は、入力した種別と件数の判定結果に基づいて、スケジュール、電話、メールなど、通知情報の種別と件数に応じた色と大きさで情報フレークを表示部１１に表示する（ステップＳ５）。
【００３２】
以上、第一の実施形態による端末装置１の処理フローについて説明したが、上述の端末装置１の処理によれば、端末装置１は、表示フレークと類似の形状の情報フレークを表示部に表示させることによって、楽しさを演出するという視覚的効果をユーザに与えつつ、通知情報に応じて情報フレークを表示させることができる。これにより、通知情報をユーザに直感的に分かりやすく報知することができる。
また、端末装置１は、通知情報の種別と件数に応じた色と大きさで情報フレークを表示することで、ユーザは通知情報の種別と件数などの情報量を直感的に知ることができる。
【００３３】
＜第二の実施形態＞
図５は、本発明の第二の実施形態による端末装置１の構成を示す図である。
図５で示すように、第二の実施形態による端末装置１は、図２の第一の実施形態による端末装置１に加え、通知元識別部４を含んで構成されている。
【００３４】
また本実施形態において、表示制御部２は、第一の実施形態の機能に加え、さらに、通知元識別部４が出力した通知元識別情報を情報フレークと関連付けて表示部１１に表示する機能を有する。
また、通知元識別部４は、通信部１３が受信した通知情報または記憶部１２が記録した通知情報を受け取ると、その通知情報から、当該情報の通知元を示す通知元識別情報を取得し、その通知元識別情報を表示制御部２へ出力する機能部である。
【００３５】
図６は、本発明の第二の実施形態による端末装置１が表示部１１に表示する画像の一例を示す図である。
この図で示すように、表示部１１には、第一の実施形態による端末装置１と同様に、大小さまざまな色の円形画像が表示されている。
また、第一の実施形態による端末装置１と同様に、表示フレークは、通知情報が存在しない場合、すなわち情報フレークが存在しない場合にも視覚的効果を創出する画像である。
また、第一の実施形態による端末装置１の場合とは異なり、表示部１１には、通知元識別部４が取得して出力した通知元識別情報が、情報フレークと関連付けて表示される。
【００３６】
例えば、この図において情報フレーク（情報片図形）ｂ１は、端末装置１が５件のメールを受信したことを示しており、そのメールが、ＡさんとＢさんとからのメールであることを文字で表示している。
また、同様に、この図において情報フレークｂ３は、電話の着信が１件あったことを示しており、その電話に関連付けられた通知元識別情報は、Ｃさんからの電話であることを文字で表示している。
また、情報フレークｂ２は、ユーザが確認すべきスケジュールが３件存在することを示している。
なお、この図の例では、通知元識別情報は情報フレークの横の位置に文字で表示されているが、情報フレークの円の中に表示されてもよく、通知元識別情報の表示位置は限定されない。また、通知元識別情報は、アイコンや送信者の画像などであってもよく、文字に限られない。
【００３７】
図７は、本発明の第二の実施形態による端末装置１の処理フローを示す図である。
次に、端末装置１が、記憶部１２に登録されたスケジュール、電話の着信、メールの着信等の情報をユーザに通知する場合を例に、第二の実施形態による端末装置１の処理フローを説明する。
ただし、第二の実施形態による端末装置１の処理フローでは、第一の実施形態の端末装置１のステップＳ１〜ステップＳ４の処理を行い、その後にステップＳ６とステップＳ７との処理を行う。したがって、図７に示す第二の実施形態による端末装置１のステップＳ６とステップＳ７との処理について、以下に説明をする。
【００３８】
第二の実施形態の端末装置１による処理においては、第一の実施形態の端末装置１によるステップＳ１〜ステップＳ４の処理に続き、通知元識別部４は、上記通知情報判定部３と同様に、通信部１３が受信したまたは記憶部１２が記録した当該通知情報を取得する。そして、その通知情報から通知元識別情報を取得する（ステップＳ６）。そして、通知元識別部４は、その取得した通知元識別情報を表示制御部２へ出力する。
【００３９】
表示制御部２は、通知情報判定部３から、通知情報の種別と件数についての判定結果を入力する。そして、表示制御部２は、当該判定結果に基づいて、スケジュール、電話、メールなどの通知情報の種別と、それぞれの件数に応じた色と大きさで情報フレークを表示部１１に表示する。
また、表示制御部２は、通知元識別部４から通知元識別情報を入力すると、その通知元識別情報に関連付けられた情報フレークに対して、当該通知元識別情報を表示部１１に表示する（ステップＳ７）。
【００４０】
以上、第二の実施形態による端末装置１の処理フローについて説明したが、上述の端末装置１の処理によれば、端末装置１は、情報フレークに関連付けて、文字、アイコン、送信者の画像などで通知元識別情報を表示することで、ユーザは、通知元が誰であるかなどの通知情報の識別を直感的に容易に行うことができる。
【００４１】
＜第三の実施形態＞
図８は、本発明の第三の実施形態による端末装置１の構成を示す図である。
図８で示すように、第三の実施形態による端末装置１は、図５の第二の実施形態による端末装置１に加え、ロック解除検出部５と、情報選択部６とを含んで構成されている。
【００４２】
ここで、端末装置１が誤操作防止の状態に設定されている場合に、表示部１１には当該誤操作防止状態を示す画面が表示される。この誤操作防止状態を示す画面には、当該画面を消去するための操作対象となる表示オブジェクトの１つであるロック解除アイコンが表示されるが、第三の実施形態による表示制御部２は、この誤操作防止画面上に、表示フレークと情報フレークとを表示する機能を有する。
また、表示制御部２は、ロック解除検出部５がロック解除アイコン１０１に対して端末装置１の外部から操作がなされたことを検出すると、アプリケーションプログラムを実行するための、表示フレークと同一または類似の形状のアプリケーション起動アイコンを表示する機能部である。
また、表示制御部２は、情報フレークを表示部１１の所定の位置に表示する機能部である。
また、表示制御部２は、端末装置１の外部から操作がなされ情報フレークが選択されたことを情報選択部６が検出すると、情報選択部６が検出した情報フレークに基づいて、当該情報フレークに関連付けられた情報を前記表示部１１の所定の位置に表示する機能部である。
【００４３】
また、ロック解除検出部５は、表示制御部２が誤操作防止画面に表示するロック解除アイコン１０１に対する操作がなされたことを検出する機能部である。
また、ロック解除検出部５は、ロック解除アイコン１０１に対する操作がなされたことを検出すると、端末装置１のロックを解除する機能部である。
また、情報選択部６は、情報フレークに対する操作がなされたことを検出する機能部である。
【００４４】
図９は、本発明の第三の実施形態による端末装置１が表示部１１に表示する画像の一例を示す図である。
この図において、（ａ）部は、上述の誤操作防止画面の例（ロック解除前）である。また、（ｂ）部は、アプリケーション起動アイコンと情報フレークとを表示した画面例（ロック解除後）である。
ユーザが、図９の（ａ）部に示す誤操作防止画面でロック解除アイコン１０１に対して、例えばタップ操作や近接操作などの所定の操作を行うと、ロック解除検出部５はそのロック解除アイコン１０１に対する操作がなされたことを検出する。そして、ロック解除検出部５は、端末装置１のロックを解除する。
そして、図９の（ｂ）部に示すように、表示制御部２は、ロック解除検出部５からロック解除信号を受信すると、ロック解除アイコン１０１の周辺に：
・アプリケーション起動アイコン（メール起動アイコン１０２、検索起動アイコン１０３、カメラ起動アイコン１０４、ＳＮＳ起動アイコン１０５、電話起動アイコン１０６、および、スケジュール起動アイコン１０７：  後述の図１０参照）と、
・情報フレーク（メール通知情報フレーク１０８、スケジュール通知情報フレーク１０９、電話通知情報フレーク１１０、ＳＮＳ通知情報フレーク１１１、写真通知情報フレーク１１２、および、検索通知情報フレーク１１３：  同様に、図１０参照）と
を表示する。
このとき、情報フレークとアプリケーション起動アイコンとは、表示部１１の外側から集まるように表示されてもよいし、表示部１１における小さな点の状態から徐々に拡大されるように表示されてもよく、図９の（ａ）部に示す表示から（ｂ）部に示す表示へと変化する経過の表示様式は、限定されない。
また、表示フレークは、アプリケーション起動アイコンが集まって表示されたときに、外側に飛び散るように表示部１１に表示され、最終的に表示部１１に表示されなくなってもよい。
【００４５】
図１０は、図９の（ｂ）部で示したロック解除アイコン１０１と、情報フレークと、アプリケーション起動アイコンとを示す図である。
ロック解除アイコン１０１は、図９の（ａ）部にも表示されているアイコンであり、アイコンをタップするなどの所定のユーザ操作によって、端末装置１のロックを解除するためのアイコンである。このロック解除アイコン１０１は、端末装置１がロック状態にあるときに常に表示されていてもよいし、通常は非表示で、例えば電源ボタン等を押下するなどユーザの所定の操作によって表示されてもよい。
【００４６】
また、メール起動アイコン１０２は、例えばアイコンをタップするなどの所定のユーザ操作によって、メールアプリケーションプログラムを起動し、メール機能を有効にするアイコンである。
【００４７】
また、検索起動アイコン１０３は、例えばアイコンをタップするなどの所定のユーザ操作によって、検索アプリケーションプログラムを起動し、インターネット検索や端末装置１の内外のファイル検索機能を有効にするアイコンである。
【００４８】
また、カメラ起動アイコン１０４は、例えばアイコンをタップするなどの所定のユーザ操作によって、カメラアプリケーションプログラムを起動し、静止画や動画を撮影する機能を有効にするアイコンである。
【００４９】
また、ＳＮＳ起動アイコン１０５は、例えばアイコンをタップするなどの所定のユーザ操作によって、例えばＳＮＳアプリケーションプログラムを起動し、ＳＮＳに参加する機能を有効にするアイコンである。
【００５０】
また、電話起動アイコン１０６は、例えばアイコンをタップするなどの所定のユーザ操作によって、電話アプリケーションプログラムを起動し、電話機能を有効にするアイコンである。
【００５１】
また、スケジュール起動アイコン１０７は、例えばアイコンをタップするなどの所定のユーザ操作によって、スケジュールアプリケーションプログラムを起動し、スケジュール機能を有効にするアイコンである。
【００５２】
また、メール通知情報フレーク１０８は、通知情報の１つであるメールの着信をユーザに通知する情報フレークである。例えば、ユーザがメール通知情報フレーク１０８をタップするなど所定の操作を行うと、着信メールを表示し、ユーザが着信内容を確認することができる。
図１０において、メール通知情報フレーク１０８内の数字“５”は、メールを５件受信したことを示している。
【００５３】
また、スケジュール通知情報フレーク１０９は、通知情報の１つであるスケジュールをユーザに通知する情報フレークである。例えば、ユーザがスケジュール通知情報フレーク１０９をタップするなど所定の操作を行うと、登録されたスケジュールを表示し、ユーザがスケジュールの内容を確認することができる。
図１０において、スケジュール通知情報フレーク１０９内の数字“３”は、スケジュールが３件登録されていることを示している。
【００５４】
また、電話通知情報フレーク１１０は、通知情報の１つである電話の着信をユーザに通知する情報フレークである。例えば、ユーザが電話通知情報フレーク１１０をタップするなど所定の操作を行うと、着信電話を表示し、ユーザが着信内容を確認することができる。
図１０において、電話通知情報フレーク１１０内の数字“１”は、電話の着信が１件あったことを示している。
【００５５】
また、ＳＮＳ通知情報フレーク１１１は、通知情報の１つであるＳＮＳの着信をユーザに通知する情報フレークである。例えば、ユーザがＳＮＳ通知情報フレーク１１１をタップするなど所定の操作を行うと、ＳＮＳからの通知を表示し、ユーザが通知内容を確認することができる。
図１０においては、現在ＳＮＳからの通知がない場合を示しており、図示するように、そのフレーク中には件数が表示されていない。
【００５６】
また、写真通知情報フレーク１１２は、通知情報の１つである(インターネット上の所定のサイトなどに対する）写真投稿の存在をユーザに通知する情報フレークである。例えば、ユーザが写真通知情報フレーク１１２をタップするなど所定の操作を行うと、ユーザがまだ表示操作していない写真を表示し、ユーザが写真の内容を確認することができる。
図１０においては、写真投稿の通知がない場合を示しており、図示するように、そのフレーク中には件数が表示されていない。
【００５７】
また、検索通知情報フレーク１１３は、通知情報の１つである検索エンジンの存在をユーザに通知する情報フレークである。例えば、ユーザが検索通知情報フレーク１１３をタップするなど所定の操作を行うと、検索欄を表示し、ユーザが当該検索欄に書き込んだ内容を新規に検索することができる。
図１０においては、検索エンジンがない場合を示しており、図示するように、そのフレーク中には（検索エンジンの個数を示す）数が表示されていない。
【００５８】
図１１は、ある情報フレークを選択した場合の、表示部１１の表示例を示す図である。
具体的には図１１は、ユーザが、図１０に示したメール通知情報フレーク１０８を、タップするなどのユーザ操作によって選択した場合に表示部１１に表示される図である。
この図ではメールの着信が新しい順番に表示部１１に表示される例を示しているが、表示内容はこれに限定されるものではなく、例えば表示部１１には、通知元ごとの一覧が表示されたり、最新の１件の内容が表示されたりしてもよい。
また、この図はメール通知情報フレーク１０８が選択された場合の例を示しているが、メール通知情報フレーク１０８に限らず、他の情報フレークが選択された場合には、その選択された情報フレークに関連する詳細情報が表示される。
なお、情報フレークに関連する詳細情報は、表示部１１に新しい情報の順番に一覧が表示されたり、古い情報の順番に一覧が表示されたり、種別毎に一覧が表示されたり、さらには最新の１件の内容が表示されたりしてもよい。
【００５９】
図１２は、本発明の第三の実施形態による端末装置１の処理フローを示す図である。
次に、スマートフォンなどの端末装置１が、予めユーザが記憶部１２に登録したスケジュール、電話の着信、メールの着信等の情報をユーザに通知する場合を例に、第三の実施形態による端末装置１の処理フローを説明する。
【００６０】
ただし、第三の実施形態による端末装置１の処理フローでは、第二の実施形態の端末装置１のステップＳ１〜ステップＳ６の処理を行い、その後にステップＳ８〜ステップＳ１２の処理を行う。したがって、図１２に示す第三の実施形態による端末装置１のステップＳ８〜ステップＳ１２の処理について、以下に説明をする。
【００６１】
第三の実施形態の端末装置１による処理においては、第二の実施形態の端末装置１によるステップＳ１〜ステップＳ６の処理に続き、表示制御部２は、端末装置１が誤操作防止に設定された状態において、通知情報判定部３から通知情報の種別と件数との判定結果を入力する。
そして表示制御部２は、表示部１１に表示された誤操作防止画面において、表示フレークを所定の箇所に表示する。ここで、表示制御部２は、受け取った種別と件数の判定結果に基づいて、スケジュール、電話、メールなど、通知情報の種別と件数に応じた色と大きさで上記表示フレークを表示する。
また、表示制御部２は、通知元識別部４から通知元識別情報を入力すると、表示部１１に表示された誤操作防止画面の通知元識別情報に関連付けられた情報フレークに対して、当該通知元識別情報を所定の箇所に表示する（ステップＳ８）。
【００６２】
次に、ユーザがロック解除アイコン１０１に対して所定のユーザ操作を行うと、ロック解除検出部５は、そのロック解除アイコン１０１に対する操作がなされたことを検出し、端末装置１のロックを解除する（ステップＳ９）。そして、ロック解除検出部５は、ロック解除信号を表示制御部２に出力する。
【００６３】
表示制御部２は、ロック解除検出部５からロック解除信号を入力すると、ロック解除アイコン１０１と共にアプリケーション起動アイコンと情報フレークとを所定の位置に表示する（ステップＳ１０）。
【００６４】
ここで、ユーザが情報フレークを例えばタップするなどの操作により選択すると、情報選択部６は、当該情報フレークが、端末装置１の外部から操作がなされて選択されたことを検出する（ステップＳ１１）。
【００６５】
そして、表示制御部２は、情報選択部６が検出した情報フレークに基づいて、例えばメールの一覧などの、当該情報フレークに関連付けられた情報を表示部１１の所定の位置に表示する（ステップＳ１２）。
【００６６】
以上、第三の実施形態による端末装置１の処理フローについて説明したが、上述の端末装置１の処理によれば、端末装置１は、ロック解除アイコン１０１に対して端末装置１の外部から操作がなされたことを検出すると、アプリケーション起動アイコンや情報フレークを所定の位置に表示する。また、ユーザが、情報フレークを選択することで、情報フレークに関連付けられた情報を表示部１１の所定の位置に表示する。
こうすることで、ユーザは、速やかにアプリケーションプログラムを起動したり、情報フレークの内容を確認したりすることができ、ユーザの端末装置１に対する利便性を向上させることができる。
また、端末装置１の処理によれば、表示部の誤操作防止画面上に表示フレーク、情報フレーク、アイコンなどの表示オブジェクトを表示させることによって、楽しさを演出するという視覚的効果をユーザに与えつつ、ユーザに通知すべき通知情報をユーザに直感的に分かりやすく報知することができる。特に、誤操作防止画面は表示される頻度が高いため、誤操作防止画面を表示している状態で、楽しさを演出しつつ通知情報をユーザに直感的に分かりやすく報知することは、極めて重要である。
【００６７】
＜第四の実施形態＞
本発明の第四の実施形態による端末装置１の構成は、図８に示した第三の実施形態による端末装置１の構成と同様である。
【００６８】
ここで、第四の実施形態による表示制御部２は、各種表示情報を表示部１１に表示すると共に、端末装置１が誤操作防止の状態に設定されている場合に表示部１１に表示する誤操作防止画面上に、表示フレークと情報フレークとを表示する機能部である。
また、表示制御部２は、ロック解除アイコン１０１に対して端末装置１の外部から操作がなされたことをロック解除検出部５が検出した場合に、アプリケーションプログラムを実行するための、表示フレークと同一または類似の形状のアプリケーション起動アイコンと情報フレークとを表示部１１の所定の位置に表示する機能部である。
また、表示制御部２は、情報フレークが端末装置１の外部から操作がなされて選択されたことを情報選択部６が検出すると、その情報選択部６が検出した情報フレークに基づいて、当該情報フレークに関連付けられた情報を表示部１１の所定の位置に表示する機能部である。
また、表示制御部２は、情報フレーク、ロック解除アイコン１０１、またはアプリケーション起動アイコンのうち少なくとも１つの表示画像に、表示部１１内を移動する動きを持たせて表示部１１に表示する機能を有する。
また、表示制御部２は、表示部１１に表示する情報フレーク、ロック解除アイコン１０１、またはアプリケーション起動アイコンのうち少なくとも１つの表示画像に動きを持たせるか否かを選択する機能も有する。
そして、表示制御部２は、表示部１１に表示する情報フレーク、ロック解除アイコン１０１、またはアプリケーション起動アイコンのうち少なくとも１つの表示画像に動きを持たせる選択をした場合は、当該表示画像に動きを持たせ、動きを持たせないで表示する選択をした場合は、情報フレーク、ロック解除アイコン１０１、またはアプリケーション起動アイコンの何れも動きを持たせずに表示部１１に表示する。
【００６９】
図１３は、本発明の第四の実施形態による端末装置１の処理フローを示す図である。
次に、スマートフォンなどの端末装置１が、予めユーザが記憶部１２に登録したスケジュール、電話の着信、メールの着信等の情報をユーザに通知する場合を例に、第四の実施形態による端末装置１の処理フローを説明する。
【００７０】
ただし、第四の実施形態による端末装置１の処理フローでは、第三の実施形態の端末装置１のステップＳ１〜ステップＳ６の処理を行い、その後にステップＳ１３〜ステップＳ１６の処理を行い、更にその後、第三の実施形態の端末装置１のステップＳ９〜ステップＳ１２の処理を行う。したがって、図１３に示す第四の実施形態による端末装置１のステップＳ１３〜ステップＳ１６の処理について、以下に説明をする。
【００７１】
第四の実施形態の端末装置１による処理においては、第三の実施形態の端末装置１によるステップＳ１〜ステップＳ６の処理に続き、表示制御部２は、端末装置１が誤操作防止に設定された状態において、通知情報判定部３から通知情報の種別と件数との判定結果を入力する。また、表示制御部２は、通知元識別部４から通知元識別情報を入力する（ステップＳ１３）。
【００７２】
そして、表示制御部２は、表示フレークと情報フレークとを、または情報フレークを（表示フレークについては判定しない）、静止画で誤操作防止画面上に表示するか、動画で表示するかを判断する（ステップＳ１４）。
例えば、表示制御部２が通知情報判定部３から通知情報の種別と件数との判定結果を入力し、通知元識別部４から通知元識別情報を入力した段階で、表示部１１に静止画か動画かを選択するメニューが表示され、ユーザが静止画と動画のどちらをタップして選択する。そして、そのユーザの選択に応じて、表示制御部２が表示部１１に静止画または動画を表示すると判断する。
【００７３】
そして、ユーザが静止画を選択した場合、表示制御部２は、表示フレークと情報フレークとを、または情報フレークを、誤操作防止画面上に静止画で表示する（ステップＳ１５）。
【００７４】
または、ユーザが動画を選択した場合、表示制御部２は、表示フレークと情報フレークとを、または情報フレークを、誤操作防止画面上に動画で表示する（ステップＳ１６）。
【００７５】
そして、図１３のステップＳ１５またはステップＳ１６の処理フローに続き、ステップＳ９〜ステップＳ１２の処理が行われる。
【００７６】
なお、上述の第四の実施形態による端末装置１の処理フローでは、ステップＳ１４〜ステップＳ１６で、表示制御部２が誤操作防止画面上に静止画で表示するか動画で表示するかを決定している。
しかし、処理フロー全体において、情報フレーク、ロック解除アイコン１０１、またはアプリケーション起動アイコンを表示する各処理ステップで、表示制御部２がそれぞれの対象を静止画で表示するか動画で表示するかを決定してもよい。
また、静止画で表示するか動画で表示するかをユーザが予め決定して記憶部１２に記録し、表示制御部２がその都度記憶部１２に記録されているデータに基づいて、静止画で表示するか動画で表示するかを決定してもよい。
【００７７】
以上、第四の実施形態による端末装置１の処理フローについて説明したが、上述の端末装置１の処理によれば、端末装置１は情報フレーク、ロック解除アイコン１０１、またはアプリケーション起動アイコンを静止画で表示することでユーザは情報フレークの認識やアイコンの操作を容易にする。また、端末装置１は情報フレーク、ロック解除アイコン１０１、またはアプリケーション起動アイコンを動画で表示することで、さらに楽しさを演出するという視覚的効果をユーザに与える。
【００７８】
なお、本発明の実施形態において、表示部１１は端末装置１に備えられた表示部に限らない。例えば、外部表示装置など、任意の表示部でも良い。
また、本発明の実施形態において、表示オブジェクト等を指定する操作は、タッチ操作に限らない。例えば、近接操作、キーによる操作など、表示オブジェクトを指定するための任意の操作で良い。
また、本発明の実施形態において、受信や設定する情報は実施形態に記載の情報に限らない。端末装置１において受信や設定が可能な任意の情報で良い。
また、本発明の実施形態において、表示フレークと情報フレークの形状は円に限らない。四角、星型など、互いに類似した任意の形状で良い。
また、本発明の実施形態において、通知情報の情報量に応じて情報フレークの大きさを変えるようにしたが、情報フレークの数を変えるようにしても良い。例えば、メールなどの受信情報１件につき情報フレークを１つとして、受信情報の件数に応じて情報フレークの個数を変えるようにしても良い。
【００７９】
以上、本発明の実施形態について説明したが、上述の端末装置１は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。
ここでコンピュータ読み取り可能な記録媒体とは、磁気ディスク、光磁気ディスク、ＣＤ−ＲＯＭ、ＤＶＤ−ＲＯＭ、半導体メモリ等をいう。
また、このコンピュータプログラムを通信回線によってコンピュータに配信し、この配信を受けたコンピュータが当該プログラムを実行するようにしても良い。
【００８０】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００８１】
この出願は、２０１２年１２月２０日に出願された日本出願特願２０１２−２７８１４１号を基礎とする優先権を主張し、その開示の全てをここに取り込む。
【産業上の利用可能性】
【００８２】
本発明によれば、メールなどの情報の着信やスケジュールなどをユーザに通知する際、ユーザに視覚的効果を与えることができ、通知情報をユーザに直感的に分かりやすく報知することができる。
【符号の説明】
【００８３】
１・・・端末装置
２・・・表示制御部
３・・・通知情報判定部
４・・・通知元識別部
５・・・ロック解除検出部
６・・・情報選択部
１０・・・アプリケーション制御部
１１・・・表示部
１２・・・記憶部
１３・・・通信部
１０１・・・ロック解除アイコン
１０２・・・メール起動アイコン
１０３・・・検索起動アイコン
１０４・・・カメラ起動アイコン
１０５・・・ＳＮＳ起動アイコン
１０６・・・電話起動アイコン
１０７・・・スケジュール起動アイコン
１０８・・・メール通知情報フレーク
１０９・・・スケジュール通知情報フレーク
１１０・・・電話通知情報フレーク
１１１・・・ＳＮＳ通知情報フレーク
１１２・・・写真通知情報フレーク
１１３・・・検索通知情報フレーク
ａ１、ａ２、ａ３、ａ４、ａ５・・・表示フレーク
ｂ１、ｂ２、ｂ３・・・情報フレーク
【図１】
2014097988.tif 000003
【図２】
2014097988.tif 000004
【図３】
2014097988.tif 000005
【図４】
2014097988.tif 000006
【図５】
2014097988.tif 000007
【図６】
2014097988.tif 000008
【図７】
2014097988.tif 000009
【図８】
2014097988.tif 000010
【図９】
2014097988.tif 000011
【図１０】
2014097988.tif 000012
【図１１】
2014097988.tif 000013
【図１２】
2014097988.tif 000014
【図１３】
2014097988.tif 000015
【国際調査報告】
2014097988.tif 000016
2014097988.tif 000017
2014097988.tif 000018
2014097988.tif 000019